(57)【要約】【課題】  構造体内部で支持されるワイヤーハーネスおよびが構造体の外部に向けて配線される電源コードなども含めて裂傷や断線あるいは破損を防止することができる構成を備えたハーネス支持構造を提供する。【解決手段】  筐体として用いられる構造体１０の一部に設けられているワイヤーハーネス支持構造において、上記構造体１０の柱部１１の一部にワイヤーハーネスＷを収納可能な空間部１１Ａを設け、該空間１１Ａに沿って配線されるワイヤーハーネスＷあるいはその付け根Ｌ１が柱部１１の外表面から露出しない状態を維持できることを特徴とする。【選択図】    図４
2005119080.tif 000002
【特許請求の範囲】
【請求項１】
筐体として用いられる構造体の一部に設けられているワイヤーハーネス支持構造において、
上記筐体の柱部の一部に上記ワイヤーハーネスを収納可能な空間部を設け、該空間に沿って配線されるワイヤーハーネスあるいはその付け根が柱部の外表面から露出しない状態を維持できることを特徴とするワイヤーハーネス支持構造。
【請求項２】
請求項１記載のワイヤーハーネス支持構造において、
上記柱部は、断面形状が凹凸状とされ、凹部内が上記ワイヤーハーネスの収納空間として用いられる構成であることを特徴とするワイヤーハーネス支持構造。
【請求項３】
請求項１または２記載のワイヤーハーネス支持構造において、
上記柱部は、上記構造体をなす筐体の基部に対して３方向の面がそれぞれ対向当接される構成であることを特徴とするワイヤーハーネス支持構造。
【請求項４】
請求項１乃至３のうちの一つに記載のワイヤーハーネス支持構造において、
上記筐体上部には第１の支持フレームが横架され、該第１の支持フレームは断面形状が凹凸状とされ、該第１の支持フレームの長手方向端部が対向する他の支持フレームに相当する第２の支持フレームおける縦壁面には第１の支持フレームの凹部に連通する切り欠き部で構成されたハーネス挿通部が設けられ、該第２の支持フレームの上面には、上記ハーネス挿通部に連続して該ハーネス挿通部よりも大きい開口が形成されていることを特徴とするワイヤーハーネス支持構造。
【請求項５】
請求項１乃至４のうちの一つに記載のワイヤーハーネス支持構造を用いる筐体を構造体とすることを特徴とする画像形成装置。
【発明の詳細な説明】
【技術分野】
【０００１】
本発明は、ワイヤーハーネス支持構造および画像形成装置に関し、さらに詳しくは、ワイヤーハーネスを支持するために用いられる構造体の構成に関する。
【背景技術】
【０００２】
複写機やプリンタあるいはファクシミリ装置や印刷機などの画像形成装置においては、帯電処理後の潜像担持体である感光体に対して画像情報に応じた静電潜像が形成され、その静電潜像が現像装置により可視像処理されたうえで、記録紙など記録媒体に対して転写装置を用いて転写されて複写物が得られるようになっている。可視像を転写された記録媒体は、排出される前に可視像の定着処理を施される。
【０００３】
このように、帯電処理から定着処理までの画像形成処理に必要とされる装置および部品は画像形成装置の筐体を構成する構造体内に装備されており、各装置のうちで駆動源を必要とする装置は構造体内に配置されている駆動源を用いて駆動されるようになっている。
【０００４】
画像形成装置の筐体を構成する構造体内では、現像装置などを対象とした駆動源となる駆動モータなどの電装部品に対する通電や、制御回路に用いられている電子部品の接続のために種々の配線、つまりワイヤーハーネスが用いられており、ワイヤーハーネスは、例えば、画像形成装置の筐体を構成する構造体内部に設けられた支持部により配線されるようになっている（例えば、特許文献１）。
【０００５】
構造体内部に設けられるワイヤーハーネス支持部の構成としては、図８乃至図１１に示す構成が考えられる。  
図８に示す構成は、筐体をなす構造体１００における柱部を平面視での断面形状がチャンネル状をなす部材１００Ａで構成し、チャンネル状部材１００Ａにおける凹部内において、図９に示すようなクランプ部材１００Ｂを設けることによりワイヤーハーネスＷを捕捉した状態で挿通させて支持している。
【０００６】
図１０に示す構成は、柱部材の強度を向上させるために矩形状の閉断面部材１００Ａ’を用い、その一面、つまり構造体１００の内側に位置する面にクランプ部材１００Ｂを設けることにより図８に示した場合と同様に、ワイヤーハーネスＷを捕捉した状態で挿通させて支持している。
【０００７】
【特許文献１】特開平９−２８９３８２号公報（段落「００１５」欄）
【発明の開示】
【発明が解決しようとする課題】
【０００８】
しかし、構造体１００の内部には、柱部１００Ａ、１００Ａ’の近傍にパネル部材１０１（図８，１０参照）を設け、そのパネル部材１０１に駆動部材である複数のプーリ１０２などを支持する場合があると、図９および図１１に示すように、プーリの設置位置によっては、ワイヤーハーネスＷがこれらプーリ１０２と干渉する場合がある。
【０００９】
構造体１００は、画像形成装置の大型化を抑制するために容積拡大が許されないことも多く、このため、決められた容積内で多くの部材を収納できるようにするためにワイヤーハーネスＷの配線位置とワイヤーハーネスＷ以外の部材との配置位置とが接近することも多々ある。
【００１０】
お互いの位置が接近にしていると、例えば、ワイヤハーネスＷにある程度のゆるみを与えて配線したような場合に支持部表面でワイヤーハーネスＷが蛇行した状態で配線されていることもあり、このような場合にワイヤーハーネスとこれに近接する部品との接触機会も増加する。このため、保守点検時などにおいて謝って部品にワイヤーハーネスを接触させた場合には、ワイヤーハーネスがその外皮を裂傷されたりあるいは断線したりする危険がある。
【００１１】
一方、構造体１００にはワイヤーハーネスＷだけではなく、電機部品への電源供給ラインとしての電源コードが接続できるようになっており、このための構成の一つとして、図８および図１０に示すように、柱部１００Ａ、１００Ａ’の外表面にコードの付け根が支持されている場合がある。  
このような構成においては、構造体の外表面よりも外側に電源コードの付け根が突出した状態となっていることが多く、これにより、構造体の近くに壁などがあると衝突などにより破損する虞がある。
【００１２】
本発明の目的は、上記従来のハーネス支持構造における問題に鑑み、構造体内部で支持されるワイヤーハーネスおよびが構造体の外部に向けて配線される電源コードなども含めて裂傷や断線あるいは破損を防止することができる構成を備えたハーネス支持構造および画像形成装置を提供することにある。
【課題を解決するための手段】
【００１３】
請求項１記載の発明は、筐体として用いられる構造体の一部に設けられているワイヤーハーネス支持構造において、上記筐体の柱部の一部に上記ワイヤーハーネスを収納可能な空間部を設け、該空間に沿って配線されるワイヤーハーネスあるいはその付け根が柱部の外表面から露出しない状態を維持できることを特徴としている。
【００１４】
請求項２記載の発明は、請求項１記載の発明に加えて、上記柱部は、断面形状が凹凸状とされ、凹部内が上記ワイヤーハーネスの収納空間として用いられる構成であることを特徴としている。
【００１５】
請求項３記載の発明は、請求項１または２記載の発明に加えて、上記柱部は、上記構造体をなす筐体の基部に対して３方向の面がそれぞれ対向当接される構成であることを特徴としている。
【００１６】
請求項４記載の発明は、請求項１乃至３のうちの一つに記載の発明に加えて、上記筐体上部には第１の支持フレームが横架され、該第１の支持フレームは断面形状が凹凸状とされ、該第１の支持フレームの長手方向端部が対向する他の支持フレームに相当する第２の支持フレームおける縦壁面には第１の支持フレームの凹部に連通する切り欠き部で構成されたハーネス挿通部が設けられ、該第２の支持フレームの上面には、上記ハーネス挿通部に連続して該ハーネス挿通部よりも大きい開口が形成されていることを特徴としている。
【００１７】
請求項５記載の発明は、請求項１乃至４のうちの一つに記載のワイヤーハーネス支持構造を用いる筐体を構造体として画像形成装置に用いることを特徴としている。
【発明の効果】
【００１８】
請求項１記載の発明によれば、筐体の柱部の一部ワイヤーハーネスを収納可能な空間部を設け、空間内に沿って収納されるワイヤーハーネスあるいはその付け根を外部に露出させることがないので、近傍に配置されている部材との干渉や衝突などを確実に防止してワイヤーハーネスの外皮損傷や断線などを防止することが可能となる。
【００１９】
請求項２記載の発明によれば、柱部が凹凸状の断面形状で構成されているので、柱部としての断面剛性を高める形状をそのまま利用してワイヤーハーネスの収納空間とすることができる。これにより、近傍に配置されている部材との干渉や商都るを避けるための特別な構成を付加する必要がなくなり、コスト上昇を抑えながらワイヤーハーネスの損傷や断線を防止することが可能となる。
【００２０】
請求項３記載の発明によれば、柱部の断面剛性をその断面形状により得られる一方で、筐体の基部に対しては３方向の面が対向当接することで、その各面を固定あるいは当接状態にすることにより筐体基部に対する柱部の位置決め精度の確保および倒れや脱落が防止されて取り付け部での強度を確保することが可能となる。
【００２１】
請求項４記載の発明によれば、筐体上部に位置する第１の支持フレームとこれの長手方向端部が対向する第２の支持フレームとを備え、第１の支持フレームには凹部に連続する切り欠き部からなるハーネス挿通部がそして、第２の支持フレームにはハーネス挿通部に連続してこの挿通部よりも大きい開口が設けてあるので、ワイヤーハーネスを第１の支持フレームに設けられている凹部に収納することで支持フレームの外表面に露出させないようできると共に、第１の支持フレームに設けられているハーネス挿通部およびこれに連続する第２の支持フレーム側の開口を介してワイヤーハーネスの配回し方向を変更でき、配回し方向変更時には開口がハーネス挿通部よりも大きくなっていることでハーネス端部に取り付けられているコネクタなどの挿通を容易に行わせることできる。これにより、ワイヤーハーネスの配回し方向を変更する場合でもワイヤーハーネスをフレームの外表面に露出させることなく行えることでワイヤーハーネスへの損傷や断線を防止できる配線作業を行うことが可能となる。
【発明を実施するための最良の形態】
【００２２】
以下、実施例に基づき、本発明を実施するための最良の形態について説明する。
【実施例】
【００２３】
図１は、本発明実施例によるワイヤーハーネス支持構造が適用される画像形成装置の外観図であり、同図に示す画像形成装置１は、出荷時の仕様として複写機能のみを発揮させるための構成が内部に設けられている。
【００２４】
図１において、符号Ｆで示す側がオペレータが対面する画像形成装置１の正面側であり、符号Ｒで示す側が背面側である。  
画像形成装置１の正面側には、図２に示すように、画像形成に用いられる記録紙を収容した複数の給紙カセット２が出し入れ自在に設けられ、その上部には図示しないが、内部に感光体をはじめとする画像形成部が設けられている。  
画像形成装置置１における画像形成部の上部には、図示しない原稿載置台を備えた原稿読み取り部、いわゆる、スキャナー３（図２参照）が設けられている。  
画像形成装置１における側面には、図示しない排紙部が設けられており、この排紙部には、ソータなどの後処理装置を連結できるようになっている。
【００２５】
図３には、図１に示した画像形成装置における外壁パネルおよび内部装備品を除いた筐体をなす構造体１０が示されている。  
構造体１０は、基部をなす底板１０Ａを備え、底板１０Ａの上面には四隅に直立させた柱部材１１，１１’が設けられている。符号１１で示す柱部材は構造体１０における前後方向と直角な方向（図３中、符号Ｆ，Ｒで示す方向と直角な方向）の一方における両隅部に位置するものであり、符号１１’で示す柱部材は符号１０で示した柱部材と反対側の両隅部に位置するものを示している。  
構造体１０における前面側（図３において符号Ｆで示す側）および背面側（図３において符号Ｒで示す側）には、各面での柱部材１１間に跨って前面側支持パネル１２および背面側支持パネル１３がそれぞれ上端を一体化されている。  
前面側に位置する支持パネル１２には、駆動源として用いられる複数のベルトプーリＢＰ１〜ＢＰ３の一部が回転自在に支持されており、これらベルトプーリＢＰ１〜ＢＰ３にはベルトＢが掛け回されている。
【００２６】
前面側および背面側の支持パネル１２，１３は、柱部材１１の上端部において折り返されたチャンネル部を柱部材１１の上端に被せた状態で取り付けられている。
【００２７】
前面および背面側の支持パネル１２，１３における上部には、これら各紙時パネル間で横架された横桟部材としての支持フレーム１４，１５がその長手方向両端をそれぞれ固定されて設けられている。
【００２８】
柱部材１１は、図４に示すように平面視における断面形状が凹凸状に形成されており、前面側での柱部材１１同士が対向する方向での凹部１１ＡがワイヤーハーネスＷの収納空間として、またこの凹部１１Ａに隣り合って柱部材１１同士が対向する方向での凸部１１Ｂが構造体１０の外側に対向した凹部を構成していることで電源コードＬの付け根部Ｌ１が収納配置される空間としてそれぞれ構成されている。
【００２９】
凹部１１Ａは、図４に示すように、前面側支持パネル１２により支持されているベルトプーリ（図４では、符号ＢＰ１で示すベルトプーリ）が占有する領域から外れた位置に位置決めされるように柱部材１１の形状寸法により規定されている。
【００３０】
凹部１１Ａには、クランプ部材１６が設けられてワイヤーハーネスＷを捕捉した状態で挿通させて支持することができ、クランプ部材１５内を挿通されるワイヤーハーネスＷが凹部１１Ａから柱部材１１の対向方向の中心側に向けて露出しない、換言すれば、柱部材１１の外表面から露出しない状態とされている。  
柱部材１１における凸部１１Ｂにおいても凹部１１Ａと同様に電源コードＬの付け根部Ｌ１が空間内に隠れた状態とされて外表面に露出しない状態とされている。
【００３１】
一方、支持フレーム１４，１５における一方の支持フレーム１５は、前面側および背面側の支持パネル１２，１３に対して第１のフレーム部材として用いられ、これの長手方向端部が対向している支持パネル１２，１３が第２の支持フレームとなる関係とされている。  
第１の支持フレームに相当する支持フレーム１５は断面形状が凹凸形状とされ、上面が開放している凹部１５Ａは、図５および図７に示すようにワイヤーハーネスＷを収納する空間部として用いられている。
【００３２】
図５および図７において凹部１５Ａにおける長手方向端部が対向する第２の支持フレームに相当している支持パネル１２，１３の縦壁面には、支持フレーム１５の凹部１５Ａに連通する切り欠き部で構成されたハーネス挿通部１２Ａ、１３Ａが設けられている（図５，６では、便宜上、背面側パネル１３におけるハーネス挿通部１３Ａのみが示されている）。ハーネス挿通部１２Ａ、１３Ａには、その切り欠き部の縁に開閉可能な支持アーム１７Ａを有するクランプ部材が１７が装着されている。
【００３３】
図５および図７において、背面側支持パネル１３のみを対象として説明すると、ハーネス挿通部１３Ａを有する支持パネル１３には、その上面にハーネス挿通部１３Ａに連続してハーネス挿通部１３Ａよりも大きい開口１３Ｂ（図３，７参照）が形成されている。開口１３Ｂの大きさは、図７に示すようにワイヤーハーネスＷの端部に取り付けられるコネクタＣ１，Ｃ２の挿脱ができる大きさとされている。なお、本実施例では、支持フレーム１５の長手方向両端が対向する前面側支持パネル１２にも背面側支持パネル１３と同様にハーネス挿通部１２Ａおよび開口１２Ｂが設けられている。
【００３４】
本実施例は以上のような構成であるから、構造体１０におけるワイヤーハーネスＷは、柱部材１１における凹部１１Ａおよび支持フレーム１５における凹部１５Ａの内部に収納されてクランプ部材１６および１７により捕捉された状態で挿通されることにより支持されるが、凹部１１Ａおよび１５Ａの内部において外部に露出しない状態で配置されることにより柱部材１１および支持フレーム１５の外表面に露出しない状態を維持される。これにより、ワイヤーハーネスＷｎｏ近傍に配置されている部材、つまり図４に示したベルトプーリＢＰ１との干渉が避けられ、また支持フレーム１５の上面に搭載されるスキャナなどとの干渉も避けられることになる。これにより、近接して配置されている部材との接触によるワイヤーハーネスＷでの裂傷や断線が防止されることになる。
【００３５】
一方、支持フレーム１５における凹部１５Ａは、これの長手方向端部に対向している支持パネル１２，１３の縦壁面に設けられているハーネス挿通部１２Ａ、１３Ａに連通し、かつ、ハーネス挿通部｀１２Ａ、１３Ａに連続して支持パネル１２，１３の上面に開口１２Ｂ，１２Ｂが設けてあるので、支持フレーム１５の凹部１５Ａ内でその長手方向に沿って配置されたワイヤーハーネスＷを支持フレーム１５の外側に向けて迂回させたりあるいは膨出させることなく支持パネル１２，１３側に配回すことができる。換言すれば、ワイヤーハーネスＷの配回し方向が変更される箇所に体やーハーネスＷを凹部内から一旦外側に引き出すような処理を必要としない構成部を設けることにより凹部内からのはみ出しが生じることなく方向変換することができる。
【００３６】
本実施例によれば、支持フレーム１５においてもワイヤーハーネスＷを収納する空間として凹部１５Ａが設けられているので、支持フレーム１５の上面からはみ出る部材が存在しないので、スキャナの搭載部として支持フレーム１５の上面を利用することが可能となる。
【００３７】
次に、構造体１０に対する柱部材１１の設置構造について説明する。  
柱部材１１はその下面を構造体１０の基部１０Ａに載置された状態で図示しないアングル部材な度を用いた締結構造により基部と一体化することも可能であるが、本実施例では、基部１０Ａに対する柱部材１１の位置決めおよび倒れ等の防止を行える構成が採用されている。  
図６は柱部材１１の下部構造を示す図であり、同図において基部１０Ａに載置される柱部１１の下端には、凹部１１Ａおよび凸部１１Ｂから基部１０ＡのＸ，Ｙ方向に直交する各面に向け張り出す舌片１１Ａ１，１１Ｂ１がそれぞれ設けられており、これら舌片１１Ａ１，１１Ｂ１がそれぞれ基部１０Ａの直交する面にそれぞれ溶接あるいは締結により固定される。
【００３８】
一方、基部１０Ａの上面に載置される部分の一つである凸部１０Ｂの突出片１１Ｂ２は基部１０Ａの上面に載置されることにより柱部材１１の重量を基部１０Ａの上面に作用させる部分とされている。これにより、柱部材１１は、基部１０Ａに対してＸ，Ｙ，Ｚの３方向で支持されることになる。
【００３９】
本実施例は以上のような構成であるから、柱部材１１を基部１０Ａに組み付ける際には、凸部１０Ｂの突出片１０Ｂ２を基部１０Ａの上面に載置した状態で舌片１０Ａ１，１０Ｂ１を基部１０Ａの直交する各面に当接させることにより基部１０に対する柱部１１の位置決めが行われ、さらに位置決め後に固定されると、柱部材１１に作用する各方向からの外力に対して対抗する支持部分として構成されるので、柱部材１１の倒れや脱落が防止されることになる。
【図面の簡単な説明】
【００４０】
【図１】本発明の実施例によるワイヤーハーネス支持構造が適用される画像形成装置の外観図である。
【図２】図１に示した画像形成装置の正面図である。
【図３】本実施例によるワイヤーハーネス支持構造を説明するための筐体をなす構造体の外観図である。
【図４】図３中、符号（４）で示す方向の矢視図である。
【図５】図３中、符号（５）で示す方向の矢視図である。
【図６】図３に示した柱部材の構造体に対する支持構造を説明するための斜視図である。
【図７】図３に示した構造体の上部構造を説明するための斜視図である。
【図８】従来のワイヤーハーネス支持構造を説明するための構造体の外観図である。
【図９】図８中、符号（９）で示す方向の矢視図である。
【図１０】従来のワイヤーハーネス支持構造が用いられる構造体の別例を示す外観図である。
【図１１】図１０中、符号（１１）で示す方向の矢視図である。
【符号の説明】
【００４１】
１  画像形成装置
１０  構造体
１０Ａ  基部
１１  柱部材
１１Ａ  凹部
１１Ａ１  舌片
１１Ｂ  凸部
１１Ｂ１  舌片
１１Ｂ２  突出片
１２  前面側支持パネル
１２Ａ  ハーネス挿通部
１２Ｂ  開口
１３  背面側支持パネル
１３Ａ  ハーネス挿通部
１２Ｂ，１３Ｂ  開口
１５  支持フレーム
１５Ａ  凹部
１６，１７  クランプ部材
Ｗ  ワイヤーハーネス
Ｌ  電源コード
Ｌ１  電源コードの付け根
【図１】
2005119080.tif 000003
【図２】
2005119080.tif 000004
【図３】
2005119080.tif 000005
【図４】
2005119080.tif 000006
【図５】
2005119080.tif 000007
【図６】
2005119080.tif 000008
【図７】
2005119080.tif 000009
【図８】
2005119080.tif 000010
【図９】
2005119080.tif 000011
【図１０】
2005119080.tif 000012
【図１１】
2005119080.tif 000013